(57)【特許請求の範囲】
【請求項１】
画像を表示する際に予め初期化を要する反射型の表示媒体が、複数枚互いに隣接して組み合わされた表示部を、予め定めた順序に従って、少なくとも１枚以上の表示媒体毎に順次初期化する初期化手段
を備えた表示媒体の駆動装置。
【請求項２】
前記初期化手段は、前記画像のうち初期化が必要な部分に対応した少なくとも１枚以上の前記表示媒体を、前記予め定めた順序に従って、少なくとも１枚以上の表示媒体毎に順次初期化する
請求項１に記載の表示媒体の駆動装置。
【請求項３】
前記初期化手段は、前記表示部に含まれる前記表示媒体の各々を、前記予め定めた順序に従って順次初期化する
請求項１又は請求項２記載の表示媒体の駆動装置。
【請求項４】
前記初期化手段は、前記表示部に含まれる前記表示媒体のうち、少なくとも２枚以上の前記表示媒体を含む表示媒体群毎に、前記予め定めた順序に従って順次初期化する
請求項１又は請求項２記載の表示媒体の駆動装置。
【請求項５】
前記初期化手段は、前記表示部に表示する前記画像に応じて設定された前記予め定めた順序に従って、前記表示媒体を順次初期化する
請求項１〜請求項４の何れか１項に記載の表示媒体の駆動装置。
【請求項６】
前記初期化手段は、前記表示媒体の初期化が終了する前までに、他の前記表示媒体の初期化を開始する
請求項１〜請求項５の何れか１項に記載の表示媒体の駆動装置。
【請求項７】
前記表示部に含まれる前記表示媒体の各々に対応して設けられた光源から光が各々照射され、
前記初期化手段による前記画像の初期化に応じて、前記光源から初期化中の前記表示媒体に照射される光の照度を制御する制御手段を更に備えた
請求項１〜請求項６の何れか１項に記載の表示媒体の駆動装置。
【請求項８】
前記制御手段は、前記画像の初期化期間のうち少なくとも一部の期間で、前記表示媒体に照射される光の照度が前記画像を表示している期間中に前記表示媒体に照射される光の照度より減少するように、前記光源から初期化中の前記表示媒体に照射される光の照度を制御する
請求項７記載の表示媒体の駆動装置。
【請求項９】
前記制御手段は、前記表示媒体に照射される光の照度を減少させる場合、前記画像が認識される光の照度として予め定めた照度未満になるように、前記光源から初期化中の前記表示媒体に照射される光の照度を制御する
請求項７又は請求項８記載の表示媒体の駆動装置。
【請求項１０】
前記制御手段は、前記表示媒体に照射される光の照度を徐々に減少して前記予め定めた照度未満になるように、前記光源から初期化中の前記表示媒体に照射される光の照度を制御する
請求項９記載の表示媒体の駆動装置。
【請求項１１】
前記制御手段は、前記画像の初期化期間中に表示されるリセット画像のうち、当該リセット画像の明度が予め定めた明度より低いリセット画像を表示している期間は、前記表示媒体に照射される光の照度が前記予め定めた照度未満になるように、前記光源から初期化中の前記表示媒体に照射される光の照度を制御する
請求項９又は請求項１０記載の表示媒体の駆動装置。
【請求項１２】
前記表示媒体は、少なくとも一方が透光性を有する一対の基板間と、前記一対の基板間に封入された分散媒に分散され、前記一対の基板間に形成された電界に応じて移動し始める閾値及び色が異なる複数種類の粒子群と、を含む
請求項１〜請求項１１の何れか１項に記載の表示媒体の駆動装置。
【請求項１３】
コンピュータを、
画像を表示する際に予め初期化を要する反射型の表示媒体が、複数枚互いに隣接して組み合わされた表示部を、予め定めた順序に従って、少なくとも１枚以上の表示媒体毎に順次初期化する初期化手段として機能させるための表示媒体の駆動プログラム。
【請求項１４】
画像を表示する際に予め初期化を要する反射型の表示媒体が、複数枚互いに隣接して組み合わされた表示部と、
請求項１〜請求項１２の何れか１項に記載の表示媒体の駆動装置と、
を備えた表示装置。
【発明の詳細な説明】
【技術分野】
【０００１】
本発明は、表示媒体の駆動装置、駆動プログラム及び表示装置に関する。
【背景技術】
【０００２】
特許文献１には、画像を表示するための表示パネルであって、前記表示パネルは、光学的状態を持つ複数の画素と、前記画像に対する画像更新を制御するためのコントローラと、を有し、前記コントローラは、前記画像更新の少なくとも一部の間、前記画素をリセットするためのリセット光学的状態を前記画素に与え、これによりリセット画像情報を表すリセット画像を表示し、次いで、画像情報を表す前記画像を表示するための光学的状態を前記画素に与えるように構成され、前記リセット画像は前記画像と関連のないものである表示パネルが開示されている。
【先行技術文献】
【特許文献】
【０００３】
【特許文献１】特表２００８−５３７１５９号公報
【発明の概要】
【発明が解決しようとする課題】
【０００４】
本発明は、複数の反射型表示媒体を一斉に初期化する場合と比較して、画像の初期化に伴う広告効果の低減を抑制することができる表示媒体の駆動装置、駆動プログラム及び表示装置を提供することを目的とする。
【課題を解決するための手段】
【０００５】
上記目的を達成するために、請求項１記載の表示媒体の駆動装置の発明は、画像を表示する際に予め初期化を要する反射型の表示媒体が、複数枚互いに隣接して組み合わされた表示部を、予め定めた順序に従って、少なくとも１枚以上の表示媒体毎に順次初期化する初期化手段を備える。
【０００６】
請求項２記載の発明は、前記初期化手段は、前記画像のうち初期化が必要な部分に対応した少なくとも１枚以上の前記表示媒体を、前記予め定めた順序に従って、少なくとも１枚以上の表示媒体毎に順次初期化する。
【０００７】
請求項３記載の発明は、前記初期化手段は、前記表示部に含まれる前記表示媒体の各々を、前記予め定めた順序に従って前記表示媒体毎に順次初期化する。
【０００８】
請求項４記載の発明は、前記初期化手段は、前記表示部に含まれる前記表示媒体のうち、少なくとも２枚以上の前記表示媒体を含む表示媒体群毎に、前記予め定めた順序に従って順次初期化する。
【０００９】
請求項５記載の発明は、前記初期化手段は、前記表示部に表示する前記画像に応じて設定された前記予め定めた順序に従って、前記表示媒体を順次初期化する。
【００１０】
請求項６記載の発明は、前記表示媒体の初期化が終了する前までに、他の前記表示媒体の初期化を開始する。
【００１１】
請求項７記載の発明は、前記表示部に含まれる前記表示媒体の各々に対応して設けられた光源から光が各々照射され、前記初期化手段による前記画像の初期化に応じて、前記光源から初期化中の前記表示媒体に照射される光の照度を制御する制御手段を更に備える。
【００１２】
請求項８記載の発明は、前記制御手段は、前記画像の初期化期間のうち少なくとも一部の期間で、前記表示媒体に照射される光の照度が前記画像を表示している期間中に前記表示媒体に照射される光の照度より減少するように、前記光源から初期化中の前記表示媒体に照射される光の照度を制御する。
【００１３】
請求項９記載の発明は、前記制御手段は、前記表示媒体に照射される光の照度を減少させる場合、前記画像が認識される光の照度として予め定めた照度未満になるように、前記光源から初期化中の前記表示媒体に照射される光の照度を制御する。
【００１４】
請求項１０記載の発明は、前記制御手段は、前記表示媒体に照射される光の照度を徐々に減少して前記予め定めた照度未満になるように、前記光源から初期化中の前記表示媒体に照射される光の照度を制御する。
【００１５】
請求項１１記載の発明は、前記制御手段は、前記画像の初期化期間中に表示されるリセット画像のうち、当該リセット画像の明度が予め定めた明度より低いリセット画像を表示している期間は、前記表示媒体に照射される光の照度が前記予め定めた照度未満になるように、前記光源から初期化中の前記表示媒体に照射される光の照度を制御する。
【００１６】
請求項１２記載の発明は、前記表示媒体は、少なくとも一方が透光性を有する一対の基板間と、前記一対の基板間に封入された分散媒に分散され、前記一対の基板間に形成された電界に応じて移動し始める閾値及び色が異なる複数種類の粒子群と、を含む。
【００１７】
請求項１３記載の表示媒体の駆動プログラムの発明は、コンピュータを、画像を表示する際に予め初期化を要する反射型の表示媒体が、複数枚互いに隣接して組み合わされた表示部を、予め定めた順序に従って、少なくとも１枚以上の表示媒体毎に順次初期化する初期化手段として機能させる。
【００１８】
請求項１４記載の表示装置の発明は、画像を表示する際に予め初期化を要する反射型の表示媒体が複数枚互いに隣接して組み合わされた表示部と、請求項１〜請求項１２の何れか１項に記載の表示媒体の駆動装置と、を備える。
【発明の効果】
【００１９】
請求項１、１３、１４の発明によれば、表示部に含まれる反射型の表示媒体の各々を一斉に初期化する場合と比較して、画像の初期化に伴う広告効果の低減を抑制することができる、という効果を有する。
【００２０】
請求項２の発明によれば、表示媒体の各々を順次初期化する場合と比較して、初期化する表示媒体の数を減少することができる、という効果を有する。
【００２１】
請求項３の発明によれば、少なくとも２枚以上の表示媒体を一斉に初期化する場合と比較して、より多くの表示媒体に画像を維持したまま初期化することができる、という効果を有する。
【００２２】
請求項４の発明によれば、表示媒体を各々初期化する場合と比較して、短時間で表示部を初期化することができる、という効果を有する。
【００２３】
請求項５の発明によれば、表示媒体の初期化順序を画像の表示内容と関係なく固定した場合と比較して、広告効果の低減をより抑制することができる、という効果を有する。
【００２４】
請求項６の発明によれば、表示媒体の初期化が終了するのを待ってから次の表示媒体の初期化を開始する場合と比較して、短時間で表示部を初期化することができる、という効果を有する。
【００２５】
請求項７の発明によれば、画像の初期化中にリセット画像を表示する場合と比較して、広告効果の低減をより抑制することができる、という効果を有する。
【００２６】
請求項８の発明によれば、初期化期間の照度を画像の表示期間中の照度と同一にした場合と比較して、広告効果の低減をより抑制することができる、という効果を有する。
【００２７】
請求項９の発明によれば、光源からの光の照度を画像が認識される照度以上にした場合と比較して、表示媒体に表示される画像を認識させないようにすることができる、という効果を有する。
【００２８】
請求項１０の発明によれば、光の照度を急激に減少させる場合と比較して、照度の急激な変化に伴い、画像の閲覧者に与える違和感を低減させることができる、という効果を有する。
【００２９】
請求項１１の発明によれば、初期化期間全体に亘って光源からの光の照度を画像が認識される照度未満にした場合と比較して、光の照度が、画像が認識される照度未満となる時間を短縮することができる、という効果を有する。
【００３０】
請求項１２の発明によれば、表示媒体に電気泳動型の表示媒体を適用しない場合と比較して、消費電力を低減することができる、という効果を有する。
【図面の簡単な説明】
【００３１】
【図１】第１実施形態に係る表示システムを示す概略図である。
【図２】第１実施形態に係る表示システムの要部構成を示す模式図である。
【図３】第１実施形態に係る駆動装置の電気系の要部構成を示すブロック図である。
【図４】粒子の閾値特性を示す図である。
【図５】印加電圧に応じて表示される表示色を示す説明図である。
【図６】初期化処理を伴った画像の書き換え手順を示す説明図である。
【図７】画像を一斉に初期化した際の表示媒体の表示状態を示す説明図である。
【図８】第１実施形態に係る初期化処理のフローチャートである。
【図９】本実施形態に基づき画像を初期化した際の表示媒体の表示状態を示す説明図である。
【図１０】画像毎に初期化処理を実施する際に参照するテーブル構成図の例である。
【図１１】画像毎に初期化処理を実施した際の表示媒体の表示状態を示す説明図である。
【図１２】複数の表示媒体毎に初期化処理を実施する際に参照するテーブル構成図の例である。
【図１３】複数の表示媒体毎に初期化処理を実施した際の表示媒体の表示状態を示す説明図である。
【図１４】他の表示媒体の初期化期間中に次の表示媒体の初期化を実施した際の表示媒体の表示状態を示す説明図である。
【図１５】第２実施形態に係る表示システムを示す概略図である。
【図１６】第２実施形態に係る表示システムの要部構成を示す模式図である。
【図１７】第２実施形態に係る駆動装置の電気系の要部構成を示すブロック図である。
【図１８】第２実施形態に係る初期化処理のフローチャートである。
【図１９】第２実施形態に係る初期化処理に伴う表示媒体の表示状態を示す説明図である。
【図２０】第２実施形態に係る初期化処理に伴う表示媒体の表示状態を示す説明図である。
【図２１】光源への供給電圧波形の説明に係る説明図である。
【図２２】光源への供給電圧停止、印加タイミングの説明に係る説明図である。
【発明を実施するための形態】
【００３２】
以下、図面を参照して、本発明を実施するための形態を詳細に説明する。作用、機能が同じ働きを担う部材には、全図面を通して同じ符号を付与し、重複する説明を省略する場合がある、なお、本実施形態に係る表示媒体は複数の画素を含んで構成されるが、説明を簡易化するために、１つの画素に注目した図を用いて本実施形態を説明する。
【００３３】
また、粒子を色毎に区別して説明する必要がある場合には、シアン色の粒子をシアン色粒子Ｃ、赤色の粒子を赤色粒子Ｒ、白色の粒子を白色粒子Ｗと記し、各粒子とその粒子群を同じ符号によって示す。
【００３４】
＜第１実施形態＞
【００３５】
図１は、反射型の表示媒体を用いた表示システム１００を概略的に示した図である。表示システム１００は屋内外を問わず設置され、表示システム１００の設置場所周辺を通りがかった通行人に向けて画像を表示することで宣伝及び広告を実施する所謂デジタルサイネージ等に活用される。
【００３６】
そして、表示システム１００は、表示部１５と、表示部１５に画像を表示させる駆動装置２０とを含んで構成される。
【００３７】
表示部１５は、反射型の表示媒体である表示媒体１０Ａ、１０Ｂ、１０Ｃ及び１０Ｄを含んで構成され、表示媒体１０Ａ〜１０Ｄが他の表示媒体と隣接して組み合わされることで、全体として１つの表示部１５を構成している。また、表示媒体１０Ａ〜１０Ｄは駆動装置２０と各々接続されている。
【００３８】
以下、表示媒体１０Ａ〜１０Ｄをまとめて表示媒体１０と表し、表示媒体１０を区別して個々に説明する必要がある場合に、表示媒体１０Ａ、表示媒体１０Ｂ、表示媒体１０Ｃ、表示媒体１０Ｄと表すものとする。
【００３９】
ここで、反射型の表示媒体１０とは、太陽や蛍光灯等の照明器具から発せられる光を反射することで画像を表示する方式の表示媒体を指し、例えば、画像の表示部に電気泳動方式を用いた表示媒体や、コレステリック液晶を用いた表示媒体が知られている。本実施形態では反射型の表示媒体１０の一例として、電気泳動方式を用いた表示媒体を用いて説明するが、反射型の性質を有する表示媒体であれば何れの表示媒体を用いてもよい。
【００４０】
表示媒体１０は、画像の書き換えの際に電力を必要とするが、画像表示中は電力を消費しないため、例えば透過型表示媒体である液晶ディスプレイや有機エレクトロルミネッセンス（有機ＥＬ）等と比較して消費する電力量が少ないという利点を有する。
【００４１】
駆動装置２０は、例えば駆動装置２０内部に予め記憶している画像の画像情報に基づいて表示媒体１０を駆動することで、表示媒体１０Ａ〜１０Ｄの各々に、１つの画像を４分割した画像を表示して表示部１５に元の全体画像を表示したり、表示媒体１０Ａ〜１０Ｄの各々に、他の表示媒体１０に表示される画像とは関連性のない個別の画像を表示したりする。ここで画像情報とは、表示媒体１０に表示する画像の画素毎の色情報を含んだ情報のことである。
【００４２】
なお、本実施形態の表示部１５は４枚の表示媒体１０を含んで構成されているが、これに限定されず、表示部１５は２枚以上の表示媒体１０を含んで構成されていればよい。
【００４３】
以下に、駆動装置２０によって表示媒体１０に画像を表示する流れについて説明する。
【００４４】
図２は、表示システム１００の要部構成を示したものである。
【００４５】
駆動装置２０は、表示媒体１０の表示側電極３、背面側電極４間に電圧を印加する電圧印加部６０と、表示媒体１０に表示させる画像の画像情報に応じて電圧印加部６０を制御する制御部４０と、を含んで構成される。
【００４６】
表示媒体１０内部では、表示媒体１０の画像表示面とされる透光性を有する表示基板１と、非表示面とされる背面基板２とが間隙を持って対向して配置され、これらの基板１、２間を定められた間隔に保持すると共に、基板１、２間を複数のセルに区画する間隙部材５が設けられている。
【００４７】
上記セルとは、背面側電極４が設けられた背面基板２と、表示側電極３が設けられた表示基板１と、間隙部材５と、によって囲まれた領域を示しており、表示媒体１０に画像を表示する際の単位である画素を構成する。画素中には、例えば絶縁性液体で構成された透明の分散媒６と、分散媒６中に分散されたシアン色粒子群１１Ｃ、赤色粒子群１１Ｒ及び白色粒子群１２Ｗが封入されている。
【００４８】
本実施形態では説明を簡略化するために１つの画素に着目して表示媒体１０での画像の表示について説明するが、実際には、表示媒体１０は複数の画素を含んで構成されている。
【００４９】
また、本実施形態では１つのセルを画素に対応付けて説明するが、例えば、横方向に２個、縦方向に２個の隣接するセルを１つの連結されたセルとみなして、この連結されたセルを１つの画素として扱うようにしてもよい。
【００５０】
粒子群１１Ｃ及び粒子群１１Ｒは、例えば共に同極に帯電し、一対の電極３、４間に予め定めた閾値を越える電圧が印加されることにより、粒子群１１が一対の電極３、４間を泳動する特性を有している。なお、本実施形態に係る粒子群１１Ｃ及び粒子群１１Ｒは共に正極に帯電しているものとして説明するが、共に負極に帯電していてもよく、又は互いに異極に帯電していてもよい。
【００５１】
また、本実施形態に係る粒子１１Ｃの粒径は粒子１１Ｒの粒径よりも小さく、一対の電極３、４間に予め定めた閾値を越える電圧を印加して粒子１１Ｒが何れかの基板に付着し凝集した状態であっても、凝集した粒子１１Ｒの間隙をすり抜けられる程度の粒径とされる。なお、その他に本実施形態に係る粒子１１Ｃ及び粒子１１Ｒの粒径に関する制限はなく、粒子１１の帯電極性、応答性、電極間の距離等に応じて適宜設定すればよい。
【００５２】
更に、本実施形態に係る粒子１１Ｃは透光性を有しているものとするが、これに限定されることなく、各粒子の透光性は適宜設定すればよく、粒子１１の色もシアン色及び赤色に限定されない。
【００５３】
一方、粒子群１２Ｗは、粒子群１１Ｃ及び粒子群１１Ｒに比べて帯電量が少ない粒子群である。そのため、粒子群１１が一対の基板１、２のうち何れか一方の基板まで泳動する電圧が一対の電極３、４間に印加されても、粒子群１１の泳動速度に比べて粒子群１２Ｗの泳動速度は遅く、粒子群１２Ｗは何れの基板１、２にも付着することなく分散媒６中を浮遊する。
【００５４】
なお、本実施形態の画素には、シアン色粒子群１１Ｃ、赤色粒子群１１Ｒ及び白色粒子群１２Ｗの３粒子群が封入されるものとしたが、画素に封入される粒子群数がこれに限定されないことは言うまでもない。
【００５５】
駆動装置２０は、表示媒体１０の表示側電極３、背面側電極４間に表示させる画像の画像情報に応じた電圧を印加することにより、分散媒６中の粒子１１を泳動させ、帯電極性に応じて一対の基板１、２のうち何れか一方の基板に粒子１１を引き付けることで、画像情報に応じた濃度の画像を表示させる。
【００５６】
電圧印加部６０は、表示側電極３及び背面側電極４に電圧を印加するための電圧印加装置であり、表示側電極３及び背面側電極４にそれぞれ電気的に接続されると共に、制御部４０と相互に信号授受されるように接続され、制御部４０の制御に応じた電圧を表示側電極３及び背面側電極４に印加する。
【００５７】
制御部４０は、図３に示すように、例えばコンピュータ４０として構成される。コンピュータ４０は、ＣＰＵ（Central Processing Unit）４０Ａ、ＲＯＭ（Read Only Memory）４０Ｂ、ＲＡＭ（Random Access Memory）４０Ｃ、不揮発性メモリ４０Ｄ及び入出力インターフェース（Ｉ／Ｏ）４０Ｅがバス４０Ｆを介して各々接続された構成であり、Ｉ／Ｏ４０Ｅには電圧印加部６０、及び通信回線Ｉ／Ｆ（Interface）７０が接続されている。
【００５８】
通信回線Ｉ／Ｆ７０は、図示しない通信回線に接続され、当該通信回線に接続された図示しないパーソナルコンピュータ等の端末装置と相互にデータを通信する。この図示しない通信回線は有線回線及び無線回線の何れであってもよく、例えば、図示しないパーソナルコンピュータから表示媒体１０に表示させる画像の画像情報を取得するようにしてもよい。
【００５９】
図４は、表示媒体１０に含まれる粒子１１Ｃ及び粒子１１Ｒを表示基板１側、背面基板２側に移動させるために必要な印加電圧の特性（閾値特性）を示したものである。なお、図４では、粒子１１Ｃの閾値特性を特性５０Ｃで表し、粒子１１Ｒの閾値特性を特性５０Ｒで表している。同図の横軸は表示側電極３を接地レベル（０Ｖ）とした場合に背面側電極４に印加される電圧を、縦軸は表示基板１側から観測される粒子１１の表示濃度を表している。
【００６０】
粒子１１Ｃは閾値ＴＨ３を超える電圧が背面側電極４に印加されると、背面基板２に付着していた粒子１１Ｃが背面基板２から剥離して、基板１、２間に形成された電界に応じて表示基板１側へ移動する。また、粒子１１Ｃは閾値−ＴＨ３を超える電圧が背面側電極４に印加されると、表示基板１に付着していた粒子１１Ｃが表示基板１から剥離して、基板１、２間に形成された電界に応じて背面基板２側へ移動する。
【００６１】
一方、粒子１１Ｒは閾値ＴＨ１を超える電圧が背面側電極４に印加されると、背面基板２に付着していた粒子１１Ｒが背面基板２から剥離して、基板１、２間に形成された電界に応じて表示基板１側へ移動する。また、粒子１１Ｒは閾値−ＴＨ１を超える電圧が背面側電極４に印加されると、表示基板１に付着していた粒子１１Ｒが表示基板１から剥離して、基板１、２間に形成された電界に応じて背面基板２側へ移動する。
【００６２】
なお、粒子１１Ｃ及び粒子１１Ｒの閾値の大きさに関して、｜ＴＨ１｜＜｜ＴＨ２｜＜｜ＴＨ３｜＜｜ＴＨ４｜であるものとする。
【００６３】
次に、図４に示した閾値特性を有する粒子１１Ｃ及び粒子１１Ｒを駆動装置２０によって駆動した場合に、表示媒体１０に表示される画像の色について説明する。
【００６４】
図５は、本実施形態に係る表示媒体１０における、駆動装置２０によって印加される印加電圧に応じた粒子群１１の挙動の一例を概略的に示している。なお、図５では、分散媒６、間隙部材５は省略されており、表示側電極３の電位は接地レベル（０Ｖ）に設定されている。
【００６５】
図５（Ａ）に示すように、表示基板１側の粒子１１Ｃ及び粒子１１Ｒを剥離して背面基板２側に付着させるのに必要な閾値−ＴＨ４を超える負極電圧を背面側電極４に印加すると、粒子１１Ｃ及び粒子１１Ｒは背面基板２側に泳動して背面基板２側の全面に付着した状態となる。一方、粒子１２Ｗは、閾値−ＴＨ４を超える負極電圧が背面側電極４に印加されても、何れの基板１、２にも付着することなく分散媒６中を浮遊する。これにより表示基板１側からは粒子１２Ｗが目視されるため白色が表示される。
【００６６】
図５（Ａ）の状態から、背面側電極４に閾値ＴＨ１を超え、閾値ＴＨ３以下の正極電圧を印加すると、図５（Ｂ）に示すように、粒子１１Ｒは背面基板２側から表示基板１側に泳動して表示基板１側の全面に付着した状態となる。これにより表示基板１側からは粒子１１Ｒが目視されるため赤色が表示される。
【００６７】
図５（Ｂ）の状態から、背面側電極４に閾値ＴＨ４を超える正極電圧を印加すると、図５（Ｃ）に示すように、粒子１１Ｃは背面基板２側から表示基板１側に泳動して、既に表示基板１側に付着している粒子１１Ｒの間隙を通り、表示基板１側の全面に付着した状態となる。これにより表示基板１側からは透光性を有する粒子１１Ｃを通してシアン色と粒子１１Ｒの赤色の混色である黒色が表示される。
【００６８】
図５（Ｃ）の状態から、背面側電極４に閾値−ＴＨ２を超え、閾値−ＴＨ３以下の負極電圧を印加すると、図５（Ｄ）に示すように、粒子１１Ｒは表示基板１側から背面基板２側に泳動して背面基板２側の全面に付着した状態となるが、粒子１１Ｃは表示基板１側の全面に付着したままの状態となる。これにより表示基板１側からは粒子１１Ｃが目視されるのでシアン色が表示される。
【００６９】
なお、同図では、全ての粒子１１Ｃ及び粒子１１Ｒを表示基板１側に付着させて１００％の濃度で各色を表示する場合について説明したが、表示媒体１０に表示する画像の画像情報に基づいて中間色を表示する場合には、粒子群１１Ｃ及び粒子群１１Ｒ毎に、画像の画像情報に含まれる粒子色毎の濃度割合（階調）に応じた粒子量の粒子１１を表示基板１側に付着させるように、背面側電極４に印加する電圧の電圧値及び印加時間の少なくとも一方を制御すればよい。
【００７０】
以上説明したように、表示媒体１０に表示される画像を書き換える際、次に表示する画像の画像情報に基づいて粒子群１１を移動させる電界を発生させ、所望の表示色を表示させるための電圧（画像表示電圧）を背面側電極４に印加したが、実際には背面側電極４に画像表示電圧を印加して表示媒体１０に画像を表示する表示駆動処理と次の表示駆動処理との間で初期化処理が行われる。
【００７１】
表示駆動処理では、背面側電極４に印加される画像表示電圧により基板１、２から剥離される粒子１１や、画像表示電圧の印加によって基板１、２から剥離する方向の力を加えられても、基板１、２から剥離されずに基板１、２の少なくとも一方の基板に付着したままの状態の粒子１１が存在する。また、基板に付着している粒子１１であって、画像表示電圧の印加により更に基板に付着する方向の力を加えられる粒子１１等も存在する。そのため、表示駆動処理毎に各粒子１１の閾値特性にばらつきが生じる。
【００７２】
すなわち、前回の表示駆動処理で基板１、２に付着した粒子１１の付着状態が、次の表示駆動処理で表示媒体１０に表示する画像の表示色の濃度に影響を与えることになる。
【００７３】
初期化処理とは、次の画像の表示駆動処理の前に、現在の画像表示に伴う各粒子群１１の基板１、２への付着状態を初期化して、各粒子群１１の各粒子１１の閾値特性のばらつきが少なくなるようにする処理であり、具体的には、画像を書き換える際に、基板１、２に付着した各粒子群１１を基板１、２から剥離させて、粒子群１１の閾値特性のばらつき状態を初期化する。こうした初期化処理を実施することにより、初期化処理を実施しない場合と比較して画像の表示品質の向上が図られる。
【００７４】
図６は、表示媒体１０における初期化処理を伴った画像の書き換えの様子を示した図である。
【００７５】
例えば、図６（Ａ）に示すようなシアン色で表示された画像が表示されている状態から、図６（Ｄ）に示すような赤色の画像に書き換える場合、まず、背面側電極４に閾値ＴＨ１を超える正極電圧を、粒子群１１Ｒが表示基板１側に付着するのに要する時間印加して、粒子群１１Ｒを背面基板２側から剥離する。図６（Ｂ）はこの様子を示した図であり、表示基板１側から見た場合、透光性を有する粒子１１Ｃを通してシアン色と粒子１１Ｒの赤色の混色である黒色が表示される。
【００７６】
次に、背面側電極４に閾値−ＴＨ３を超える負極電圧を、粒子群１１Ｃ及び粒子群１１Ｒが背面基板２側に付着するのに要する時間印加して、粒子群１１Ｃ及び粒子群１１Ｒを表示基板１側から剥離する。図６（Ｃ）はこの様子を示した図であり、表示基板１側から見た場合、粒子１２Ｗが目視されるため白色が表示される。
【００７７】
そして、例えば、背面側電極４に閾値ＴＨ２の正極電圧を、画像の画像情報に従った粒子量の粒子群１１Ｒが表示基板１側に付着するのに要する時間印加して、図６（Ｄ）に示すような、画像の画像情報に対応した濃度の画像を表示する。なお、図６（Ｄ）は、例として１００％濃度の赤色画像を表示した際の様子を表している。
【００７８】
図７は、表示部１５に予め表示されている画像（以下、更新前画像９０という）を、所望の画像（以下、更新後画像９６という）に書き換える際の表示媒体１０の表示状態の一例を示した図である。
【００７９】
同図に示すように、表示媒体１０を画像の表示媒体として用いた場合、表示媒体１０では画像の書き換えの際に初期化処理が実施されるため、全ての表示媒体１０Ａ〜１０Ｄで一斉に画像を書き換えると、表示媒体１０Ａ〜１０Ｄの各々で一斉に初期化処理が実施され、更新前画像９０と更新後画像９６との間には、黒色画像９２、白色画像９４等の初期化処理によって表示されるリセット画像が表示されることになる。
【００８０】
なお、本実施形態では黒色画像９２及び白色画像９４をリセット画像の例として説明したが、リセット画像は黒色画像９２及び白色画像９４に限定されるものではない。例えば、粒子群１１がシアン色粒子群及びマゼンタ色粒子群で構成される場合、リセット画像としてシアン色とマゼンタ色の混色である青色画像及び白色画像が表示されることになるが、本実施形態に係るリセット画像は、リセット画像の色に関係なく、初期化期間中に表示される画像全般を含むものである。
【００８１】
このように、表示媒体１０Ａ〜１０Ｄで一斉に画像を書き換えた場合、画像の書き換えに伴う初期化期間中は表示部１５に広告等の画像が表示されず、この期間は広告効果が低下する場合が考えられる。
【００８２】
そこで、以下では、本実施形態に係る駆動装置２０のＣＰＵ４０Ａが画像の書き換えの際に、表示媒体１０の初期化タイミングを制御するプログラムを実行することにより、表示部１５の少なくとも１枚以上の表示媒体１０で画像の表示を維持する制御について説明する。
【００８３】
まず、図８を参照して、本実施形態に係る初期化処理を実行する際の駆動装置２０の作用について説明する。
【００８４】
図８は、この際に表示システム１００の制御部４０のＣＰＵ４０Ａにより実行される表示媒体１０の駆動プログラムの流れを示すフローチャートであり、当該プログラムは例えばＲＯＭ４０Ｂの予め定められた領域に予め記憶されており、画像の書き換えが実行される毎にＣＰＵ４０Ａにより実行される。
【００８５】
なお、駆動プログラムは、ＲＯＭ４０Ｂに予めインストールされて提供される形態に限られず、ＣＤ−ＲＯＭやメモリカード等のコンピュータ読み取り可能な記録媒体に格納された状態で提供される形態、通信回線Ｉ／Ｆ７０を介して有線又は無線により配信される形態等であってもよい。
【００８６】
また、当該駆動プログラムを実行する際、表示媒体１０には予め画像が表示されているものとする。
【００８７】
画像の書き換えが指示された場合、まず、ステップＳ５では、表示媒体１０のうち、画像書き換え対象となっている表示媒体１０を設定する。どの表示媒体１０が画像書き換え対象となっているかは、例えば不揮発性メモリ４０Ｄの予め定めた領域に予め記憶されている初期化パターンテーブルを参照して判断する。初期化パターンテーブルは、画像の書き換えの際、初期化が必要となる表示媒体１０を初期化する順序に並べて記載したテーブルであり、例えば初期化パターンテーブルに「表示媒体１０Ａ：表示媒体１０Ｂ：表示媒体１０Ｃ：表示媒体１０Ｄ」と記載されている場合、表示媒体１０Ａ〜１０Ｄが画像書き換え対象であり、表示媒体１０Ａ、表示媒体１０Ｂ、表示媒体１０Ｃ、表示媒体１０Ｄの順に初期化処理を実施する。
【００８８】
上記初期化パターンテーブルは、記載順にコロン記号で区切られた表示媒体１０単位で表示媒体１０の初期化を実施することを意味しているが、初期化パターンテーブルの書式については上記のものに限定されず、画像書き換え対象となる表示媒体１０と画像書き換えの順序が、ＣＰＵ４０Ａによって認識される書式であればどのような書式であってもよいことは言うまでもない。
【００８９】
なお、上記の初期化パターンテーブルの例では、まず表示媒体１０Ａが画像書き換え対象表示媒体として設定される。
【００９０】
ステップＳ１５では、画像書き換え対象表示媒体である表示媒体１０Ａの画素毎に初期化処理を実施するよう、電圧印加部６０に初期化開始指示を通知する。
【００９１】
ステップＳ２５では、例えば更新後画像９６のうち、表示媒体１０Ａに割り当てられた画像部分を表示媒体１０Ａに表示する。なお、更新後画像９６の画像情報は、初期化パターンテーブルに記載されている表示媒体毎に予め分割されており、例えば、不揮発性メモリ４０Ｄの予め定めた領域に予め記憶しておいてもよく、また、通信回線Ｉ／Ｆ７０を介して図示しないネットワークに接続されている図示しないパーソナルコンピュータから受け付けるようにしてもよい。
【００９２】
以上のステップＳ１５、Ｓ２５の処理により、ステップＳ５で設定した画像書き換え対象表示媒体である表示媒体１０Ａの画像の書き換えが終了する。
【００９３】
ステップＳ３０では、初期化パターンテーブルを参照して、次の画像書き換え対象表示媒体が存在するか否かを判定する。初期化パターンテーブル内にまだ画像の書き換えを実施していない表示媒体１０があればステップＳ３５に移行する。一方、初期化パターンテーブルに記載される全ての表示媒体１０の書き換えが終了した場合には、本駆動プログラムを終了する。
【００９４】
ステップＳ３５では初期化パターンテーブルに従って、まだ画像の書き換えを実施していない次の表示媒体１０を画像書き換え対象表示媒体に設定して、ステップＳ１５〜Ｓ３０の処理を繰り返して実行する。以上により、表示部１５に表示される画像が更新後画像９６に書き換えられる。
【００９５】
図９は、図８で説明した駆動プログラムを実行した場合の表示媒体１０の表示状態を時間軸に沿って示した図である。
【００９６】
図９からわかるように、本実施形態の場合、表示媒体１０Ａ〜１０Ｄを一斉に初期化して画像を書き換えるのではなく、初期化パターンテーブルに記載された順序で順次初期化して画像を書き換えている。すなわち、表示媒体１０Ａ初期化期間では表示媒体１０Ａ以外の表示媒体１０では初期化処理は実施されずに更新前画像９０を表示したままとなる。同様に、表示媒体１０Ｂ初期化期間では、表示媒体１０Ｂ以外の表示媒体１０は更新前画像９０又は更新後画像９６の表示を維持し、表示媒体１０Ｃ初期化期間では、表示媒体１０Ｃ以外の表示媒体１０は更新前画像９０又は更新後画像９６の表示を維持し、表示媒体１０Ｄ初期化期間では、表示媒体１０Ｄ以外の表示媒体１０は更新後画像９６画像の表示を維持することになる。
【００９７】
なお、本実施形態では画像を書き換える際、表示部１５に含まれる全ての表示媒体１０Ａ〜１０Ｄを予め定めた順序に従って順次初期化するようにしたが、画像の書き換えが必要な部分に対応した表示媒体１０のみを初期化するようにしてもよい。この場合、例えば、初期化パターンテーブルに表示媒体１０Ａ〜１０Ｄの中から画像の書き換えが必要となる表示媒体１０を選択して記載しておけばよい。
【００９８】
また、本実施形態では、初期化パターンテーブルに従って表示媒体１０を初期化するため、画像の書き換えの際、表示部１５に表示される画像の内容に関わらず、毎回同じ順序で表示媒体１０を初期化する例を示したが、画像に応じて異なる順序で表示媒体１０を初期化するようにしてもよい。
【００９９】
具体的には、例えば、図１０に示した不揮発性メモリ４０Ｄの予め定めた領域に予め記憶されている表示シーケンステーブル８０及び初期化条件テーブル８２を参照して、画像毎に異なる順序で表示媒体１０を初期化する。
【０１００】
初期化条件テーブル８２には、例えば、初期化パターンテーブルに記載された情報と同様の情報（初期化パターン情報）が指定番号と紐付けられて複数記載され、表示シーケンステーブル８０には、例えば、画像の表示時刻、画像番号、及び指定番号を１組とする情報が複数記載されている。ここで指定番号とは、初期化条件テーブル８２の指定番号を指定する番号であり、画像番号とは、表示時刻になった際、表示媒体１０に表示する画像に対応した画像情報を指定するための番号である。
【０１０１】
そして、現在時刻が表示シーケンステーブル８０に記載されている画像の表示時刻となった場合に図８の駆動プログラムを起動し、図８のステップＳ５で、表示シーケンステーブル８０を参照し、現在時刻を示している画像の表示時刻に対応した指定番号に基づいて、初期化条件テーブル８２から初期化パターン情報を取得することで、画像毎に異なる順序で表示媒体１０を初期化する。
【０１０２】
図１１は、図１０の表示シーケンステーブル８０及び初期化条件テーブル８２に従って初期化処理を実施した際の表示媒体１０の表示状態を示した図である。
【０１０３】
図１１（Ａ）は、画像番号１に対応した画像情報が初期化条件テーブル８２の指定番号１で指定された初期化パターン情報に基づいて、表示媒体１０Ａ、表示媒体１０Ｂ、表示媒体１０Ｃ、表示媒体１０Ｄの順序で初期化される様子を表しており、図１１（Ｂ）は画像番号２に対応した画像情報が初期化条件テーブル８２の指定番号２で指定された初期化パターン情報に基づいて、表示媒体１０Ａ、表示媒体１０Ｃ、表示媒体１０Ｂ、表示媒体１０Ｄの順序で初期化される様子を表している。
【０１０４】
また、本実施形態では画像を書き換える際、表示媒体１０単位で予め定めた順序に従って順次初期化するようにしたが、例えば、表示媒体１０Ａ〜１０Ｄを表示媒体１０Ａ及び表示媒体１０Ｂの組と、表示媒体１０Ｃ及び表示媒体１０Ｄの組とに分割し、組単位で予め定めた順序に従って順次初期化するようにしてもよい。
【０１０５】
図１２はこの際の表示シーケンステーブル８０及び初期化条件テーブル８２の一例を示したものであり、例えば、初期化条件テーブル８２の指定番号１に「表示媒体１０Ａ＋１０Ｂ：表示媒体１０Ｃ＋１０Ｄ」、指定番号２に「表示媒体１０Ａ＋１０Ｃ：表示媒体１０Ｂ＋１０Ｄ」と記載しておく。
【０１０６】
この場合、画像番号１に対応した画像に書き換える際、まず、表示媒体１０Ａ及び表示媒体１０Ｂを画像書き換え対象表示媒体に設定して、表示媒体１０Ａ及び表示媒体１０Ｂの初期化処理を一斉に実施する。その後、表示媒体１０Ｃ及び表示媒体１０Ｄを画像書き換え対象表示媒体に設定して、表示媒体１０Ｃ及び表示媒体１０Ｄの初期化処理を一斉に実施する。一方、画像番号２に対応した画像に書き換える際は、表示媒体１０Ａ及び表示媒体１０Ｃを画像書き換え対象表示媒体に設定して、表示媒体１０Ａ及び表示媒体１０Ｃの初期化処理を一斉に実施する。その後、表示媒体１０Ｂ及び表示媒体１０Ｄを画像書き換え対象表示媒体に設定して、表示媒体１０Ｂ及び表示媒体１０Ｄの初期化処理を一斉に実施する。
【０１０７】
図１３は、図１２の表示シーケンステーブル８０及び初期化条件テーブル８２に従って初期化処理を実施した際の表示媒体１０の表示状態を示した図である。
【０１０８】
図１３（Ａ）は、画像番号１に対応した画像情報が初期化条件テーブル８２の指定番号１で指定された初期化パターン情報に基づいて、表示媒体１０Ａ及び表示媒体１０Ｂ、表示媒体１０Ｃ及び表示媒体１０Ｄの順序で初期化される様子を表しており、図１３（Ｂ）は画像番号２に対応した画像情報が初期化条件テーブル８２の指定番号２で指定された初期化パターン情報に基づいて、表示媒体１０Ａ及び表示媒体１０Ｃ、表示媒体１０Ｂ及び表示媒体１０Ｄの順序で初期化される様子を表している。
【０１０９】
また、本実施形態では、他の表示媒体１０の初期化処理が終了するのを待ってから、次の表示媒体１０の初期化処理を開始するようにしたが、他の表示媒体１０の初期化処理が終了する前までに、次の表示媒体１０の初期化処理を開始するようにしてもよい。
【０１１０】
具体的には図１４に示すように、例えば表示媒体１０Ａの初期化期間中に、表示媒体１０Ａに黒色画像９２が表示された後で且つ白色画像９４が表示される前のタイミングで、表示媒体１０Ｂの初期化処理を開始する。以降、表示媒体１０Ｃ、１０Ｄに関しても、例えば初期化処理中の表示媒体１０に対して同様のタイミングで初期化処理を開始する。なお、表示媒体１０の初期化を開始するタイミングはこれに限られず、前の表示媒体１０の初期化期間であれば何れのタイミングで開始するようにしてもよい。
【０１１１】
このように、本実施形態に係る初期化処理では、複数の表示媒体１０を予め定めた順序に従って順次初期化することで、画像の書き換え中であったとしても、表示部１５の少なくとも１枚以上の表示媒体１０で画像の表示を維持する。
【０１１２】
＜第２実施形態＞
【０１１３】
第１実施形態では、画像の書き換えの際、複数の表示媒体１０を予め定めた順序に従って順次初期化することで、初期化期間中の広告効果の低減を抑制する形態について説明したが、本実施形態では第１実施形態の例において、初期化期間中に表示されるリセット画像の表示を抑制して、初期化期間中の広告効果の低減を更に抑制する形態について説明する。
【０１１４】
図１５は、本実施形態における表示システム１１０を概略的に示した図である。表示システム１１０が第１実施形態における表示システム１００と異なる点は、駆動装置２０に複数の光源３０Ａ〜３０Ｄがそれぞれ接続されている点である。
【０１１５】
光源３０Ａは表示媒体１０Ａの画像表示面に光を照射し、光源３０Ｂは表示媒体１０Ｂの画像表示面に光を照射し、光源３０Ｃは表示媒体１０Ｃの画像表示面に光を照射し、光源３０Ｄは表示媒体１０Ｄの画像表示面に光を照射する光源である。以降、光源３０Ａ〜３０Ｄを単に光源３０と表し、光源３０を区別して説明する必要がある場合に、光源３０Ａ、３０Ｂ、３０Ｃ、３０Ｄと個別に表すものとする。
【０１１６】
図１６は、表示システム１１０の要部構成を示したものであり、駆動装置２０は、電圧印加部６０と、光源３０に供給する電圧を調整して、光源３０から表示媒体１０の表示基板１に照射される光の照度を調整する照度調整部５０と、表示媒体１０に表示させる画像の画像情報に応じて電圧印加部６０を制御すると共に、画像の初期化に応じて照度調整部５０を制御する制御部４０と、を含んで構成される。また、照度調整部５０は光源３０と電気的に接続されている。なお、本実施形態に係る表示媒体１０は、例えば第１実施形態で説明した表示媒体１０が用いられている。
【０１１７】
図１７は、本実施形態に係る制御部４０の機能的な構成を示した図であり、第１実施形態における制御部４０の機能的な構成を示した図３と異なる点は、Ｉ／Ｏ４０Ｅに照度調整部５０が接続されている点である。
【０１１８】
既に説明したように、表示媒体１０は反射型の表示媒体であるため、画像を表示するためには表示媒体１０の画像表示面に光が照射されることが必要である。従って、夜間や周囲に照明がない状況の下では、表示媒体１０に画像が表示されている場合であっても、通行人が画像を認識することが困難な場合が考えられる。
【０１１９】
そこで、本実施形態では、光源３０から表示媒体１０の画像表示面に光を照射することで、夜間等であっても表示媒体１０に表示される画像が通行人等に認識されるようにしている。これは換言すれば、光源３０から表示媒体１０の画像表示面に照射される光の照度を制御することによって、表示媒体１０の画像の認識状態を制御することを意味している。
【０１２０】
すなわち、光源３０を点灯して、表示媒体１０の画像表示面上の照度を、表示媒体１０に表示された画像を認識するのに必要な照度以上とした場合には、通行人から表示媒体１０に表示された画像が認識される状態となり、光源３０を消灯して、表示媒体１０の画像表示面の照度を表示媒体１０に表示された画像を認識するのに必要な照度未満とした場合には、通行人から表示媒体１０に表示された画像が認識されにくい状態となることを意味する。
【０１２１】
そこで、以下では、本実施形態に係る駆動装置２０のＣＰＵ４０Ａが、画像の書き換えの際に光源３０に供給される電圧を制御するプログラムを実行することにより、リセット画像の表示を抑制する処理について説明する。
【０１２２】
図１８は、画像の書き換えに伴う初期化処理の際に、駆動装置２０の制御部４０に含まれるＣＰＵ４０Ａによって実行される表示媒体１０の駆動プログラムの流れを示すフローチャートであり、当該プログラムは例えばＲＯＭ４０Ｂの予め定められた領域に予め記憶されており、画像の書き換えが実行される毎にＣＰＵ４０Ａにより実行される。
【０１２３】
本実施形態に係る駆動プログラムが第１実施形態と異なる点は、光源３０に対する制御を実施するステップＳ１０及びステップＳ２０の処理が追加されている点である。
【０１２４】
なお、駆動プログラムは、ＲＯＭ４０Ｂに予めインストールされて提供される形態に限られず、ＣＤ−ＲＯＭやメモリカード等のコンピュータ読み取り可能な記録媒体に格納された状態で提供される形態、通信回線Ｉ／Ｆ７０を介して有線又は無線により配信される形態等を適用してもよい。
【０１２５】
ステップＳ１０では、画像書き換え対象表示媒体の画像表示面に光を照射する光源３０に供給する電圧を停止させる電圧供給停止指示を照度調整部５０へ通知する。例えば、画像書き換え対象表示媒体が表示媒体１０Ａであれば、光源３０Ａに供給する電圧を停止させるように、照度調整部５０へ電圧供給停止指示を通知する。
【０１２６】
照度調整部５０は、電圧供給停止指示を受け付けると画像書き換え対象表示媒体に対応する光源３０への電圧供給を停止して光源３０を消灯し、画像書き換え対象表示媒体の画像表示面の照度を、画像を認識するのに必要な照度未満にする。すなわち、これ以降、画像書き換え対象表示媒体の画像表示面に画像が表示されたとしても、通行人等からは画像が認識されにくい状態となる。
【０１２７】
そして、ステップＳ１５で画像の初期化を実施した後、ステップＳ２０において、ステップＳ１０で電圧供給を停止した光源３０に再び電圧の供給を開始させるため、電圧供給開始指示を照度調整部５０へ通知する。
【０１２８】
照度調整部５０は、電圧供給開始指示を受け付けると画像書き換え対象表示媒体に対応する光源３０への電圧供給を再開して光源３０を点灯し、画像書き換え対象表示媒体の画像表示面の照度を、画像を認識するのに必要な照度以上とする。すなわち、これ以降、画像書き換え対象表示媒体の画像表示面に表示された画像は通行人等から認識される状態となる。
【０１２９】
すなわち、本実施形態では、画像の書き換えに伴い、表示媒体１０を予め定めた順序に従って順次初期化する際、画像書き換え対象表示媒体の画像表示面に照射される光の照度を制御して、初期化期間中に表示されるリセット画像が通行人等から認識されにくくなるようにする。
【０１３０】
図１９及び図２０は、図１８で説明した駆動プログラムを実行した場合の表示媒体１０の表示状態、通行人等から見た表示媒体１０の画像認識状態、及び光源３０の供給電圧波形９８の各々を時間軸に沿って示した図である。なお、図２０は図１９から引き続いた状態を表している。また、表示媒体１０の画像認識状態において、通行人等からリセット画像が認識されにくい状態となっている期間には格子模様を付してある。
【０１３１】
図１９、図２０からわかるように、本実施形態の場合、時間Ｔ１からＴ２までの初期化期間中は光源３０Ａへの供給電圧が停止されるため、表示媒体１０Ａのリセット画像が認識されにくくなり、時間Ｔ２からＴ３までの初期化期間中は光源３０Ｂへの供給電圧が停止されるため、表示媒体１０Ｂのリセット画像が認識されにくくなる。そして、時間Ｔ３からＴ４までの初期化期間中は光源３０Ｃへの供給電圧が停止されるため、表示媒体１０Ｃのリセット画像が認識されにくくなり、時間Ｔ４からＴ５までの初期化期間中は光源３０Ｄへの供給電圧が停止されるため、表示媒体１０Ｄのリセット画像が認識されにくくなる。
【０１３２】
すなわち、更新前画像９０から更新後画像９６に画像を書き換える際、通行人等からはリセット画像が認識されにくい状態となることから、更新前画像９０から更新後画像９６への画像の切り替えがよりスムーズに行われている印象を通行人等に与え、広告効果の低減が抑制される。
【０１３３】
なお、上記の例では光源３０に供給する電圧を停止して、光源３０から表示媒体１０の画像表示面に照射される光の照度を減少するようにしたが、これに限らず、初期化期間中は、光源３０から表示媒体１０の画像表示面に照射される光の照度が、表示媒体１０に表示された画像を認識するために必要とされる光の照度として予め定めた照度（認識境界照度）未満となるような電圧、すなわち認識境界電圧ＶＴＨ未満の電圧を光源３０へ供給するようにしてもよい。
【０１３４】
図２１はこの様子を示した図であり、例えば、光源３０Ａに供給する電圧が時間Ｔ１で認識境界電圧ＶＴＨとなるように、画像表示期間中から徐々に光源３０Ａに供給する電圧を減少するよう照度調整部５０を制御して、表示媒体１０Ａの画像表示面に照射される光の照度を徐々に減少させている。この認識境界照度に対応した認識境界電圧ＶＴＨの大きさは、例えば、表示媒体１０の実機による実験等により予め定められ、例えば不揮発性メモリ４０Ｄの予め定めた領域に予め記憶しておけばよい。
【０１３５】
このように、本実施形態に係る初期化処理では、複数の表示媒体１０を予め定めた順序に従って順次初期化すると共に、初期化に合わせて、初期化が実施される表示媒体１０を照射する光源３０に供給する電圧を制御することで、初期化中の表示媒体１０の画像表示面に照射される光の照度を画像表示中に当該表示媒体１０の画像表示面に照射される光の照度より減少させて、通行人等からリセット画像が認識されにくくなるようにした。
【０１３６】
なお、本実施形態では、初期化期間全体に亘って表示媒体１０の画像表示面に照射される光の照度を認識境界照度未満となるようにした。しかし、実際にはリセット画像のうち、これ以上画像の明度が低くなると画像が強調して表示されるものとして予め定めた明度（境界明度）未満の画像が表示された場合に、更新前画像又は更新後画像とのコントラスト差からリセット画像が強調され、画像の書き換えがスムーズに行われていない旨の印象を通行人等に与えるものと考えられる。
【０１３７】
従って、図２２に示すように、表示媒体１０Ａの初期化期間のうち、例えば境界明度未満の明度を有する黒色画像９２の表示期間（Ｔ１〜Ｔ１ｍの期間）は、光源３０Ａに供給する電圧を認識境界電圧ＶＴＨ未満に減少して、境界明度以上の明度を有する白色画像９４の表示期間（Ｔ１ｍ〜Ｔ２の期間）は光源３０Ａに供給する電圧を電圧ＶＯＮにするようにしてもよい。
【０１３８】
以上、本発明を実施の形態を用いて説明したが、本発明の技術的範囲は上記実施の形態に記載の範囲には限定されない。発明の要旨を逸脱しない範囲で上記実施の形態に多様な変更または改良を加えることができ、当該変更または改良を加えた形態も本発明の技術的範囲に含まれる。
【０１３９】
また、上記実施の形態では、図８、図１８に係る初期化処理をソフトウエア構成によって実現した場合について説明したが、本発明はこれに限定されるものではなく、例えば当該初期化処理をハードウェア構成により実現する形態としてもよい。
【０１４０】
この場合の形態例としては、例えば、制御部４０と同一の処理を実行する機能デバイスを作成して用いる形態がある。この場合は、上記実施の形態に比較して、処理の高速化が期待される。
【０１４１】
また、第１実施形態及び第２実施形態に示した初期化処理では、黒色画像、白色画像の順にリセット画像が表示されているが、例えば白色画像、黒色画像の順にリセット画像が表示されるように、ステップＳ１５において、背面側電極４への電圧の印加順序を変更するようにしてもよい。更に言えば、初期化期間中のリセット画像の表示回数に限定はなく、例えば、黒色画像、白色画像、黒色画像、白色画像と繰り返しリセット画像を表示する形態や、黒色画像又は白色画像の何れか一方のリセット画像を１回だけ表示する形態であってもよい。
【符号の説明】
【０１４２】
１     表示基板
２     背面基板
３     表示側電極
４     背面側電極
５     間隙部材
６     分散媒
１０   表示媒体
１１Ｃ シアン色粒子（群）
１１Ｒ 赤色粒子（群）
１２Ｗ 白色粒子（群）
１５   表示部
２０   駆動装置
３０   光源
４０   コンピュータ（制御部）
５０   照度調整部
６０   電圧印加部
１００、１１０  表示システム
【要約】
【課題】画像の初期化に伴う広告効果の低減を抑制する。
【解決手段】駆動装置２０は、画像を表示する複数の表示媒体１０を、予め定めた順序に従って順次初期化する。
【選択図】図８【図１】
0005598585.tif 000002
【図２】
0005598585.tif 000003
【図３】
0005598585.tif 000004
【図４】
0005598585.tif 000005
【図５】
0005598585.tif 000006
【図６】
0005598585.tif 000007
【図８】
0005598585.tif 000008
【図１０】
0005598585.tif 000009
【図１２】
0005598585.tif 000010
【図１５】
0005598585.tif 000011
【図１６】
0005598585.tif 000012
【図１７】
0005598585.tif 000013
【図１８】
0005598585.tif 000014
【図７】
0005598585.tif 000015
【図９】
0005598585.tif 000016
【図１１】
0005598585.tif 000017
【図１３】
0005598585.tif 000018
【図１４】
0005598585.tif 000019
【図１９】
0005598585.tif 000020
【図２０】
0005598585.tif 000021
【図２１】
0005598585.tif 000022
【図２２】
0005598585.tif 000023